(57)【要約】【課題】  印刷の品質を従来より向上することができるインクジェットプリンターを提供する。【解決手段】  インクジェットプリンター１０は、矢印１０ａで示す主走査方向に移動することによって印刷媒体に対して主走査方向にインクによる印刷を実行するインクジェットヘッドと、印刷媒体のうちインクジェットヘッドによる印刷中の部分をインクジェットヘッドとは反対側から支持可能であって主走査方向に延在している印刷中部分支持領域を備えているプラテンと、印刷媒体のうち少なくとも印刷中部分支持領域によって支持されている部分を加熱するプリントヒーターと、風が吹き出されるための吹き出し口５０ｂが形成されていて、印刷媒体のうち印刷中部分支持領域によって支持されている部分の表面に向けて吹き出し口５０ｂから風を吹き付ける送風装置５０とを備えており、吹き出し口５０ｂは、主走査方向に延在していることを特徴とする。【選択図】  図４
2015217544.tif 000002
【特許請求の範囲】
【請求項１】
特定の方向に移動することによって印刷媒体に対して前記特定の方向にインクによる印刷を実行するインクジェットヘッドと、
印刷媒体のうち前記インクジェットヘッドによる印刷中の部分を前記インクジェットヘッドとは反対側から支持可能であって前記特定の方向に延在している印刷中部分支持領域を備えているプラテンと、
印刷媒体のうち少なくとも前記印刷中部分支持領域によって支持されている部分を加熱する加熱手段と、
風が吹き出されるための吹き出し口が形成されていて、印刷媒体のうち前記印刷中部分支持領域によって支持されている部分の表面に向けて前記吹き出し口から風を吹き付ける送風手段とを備えており、
前記吹き出し口は、前記特定の方向に延在していることを特徴とするインクジェットプリンター。
【請求項２】
前記吹き出し口は、前記特定の方向に複数の区画に分割されていることを特徴とする請求項１に記載のインクジェットプリンター。
【請求項３】
前記特定の方向とは交差する方向に印刷媒体を搬送する搬送手段を備えており、
前記送風手段は、印刷媒体のうち前記印刷中部分支持領域によって支持されている部分の表面に向けて吹き付けた風のうち、前記搬送手段による印刷媒体の搬送方向において前記印刷中部分支持領域より上流側に流れる量が、前記搬送方向において前記印刷中部分支持領域より下流側に流れる量よりも少なくなるように構成されていることを特徴とする請求項１または請求項２に記載のインクジェットプリンター。
【請求項４】
前記送風手段は、複数の前記区画から吹き出される風を生成する送風機を備えており、
前記送風手段は、前記送風機によって生成された風が通過するための複数の流路が形成されており、
複数の前記流路は、それぞれ別々の前記区画に連通していることを特徴とする請求項２に記載のインクジェットプリンター。
【請求項５】
前記送風手段は、１個以上の前記区画がそれぞれ形成されている複数のユニットを備えていることを特徴とする請求項２または請求項４に記載のインクジェットプリンター。
【発明の詳細な説明】
【技術分野】
【０００１】
本発明は、印刷媒体に印刷を実行するインクジェットプリンターに関する。
【背景技術】
【０００２】
従来、主走査方向に移動することによって印刷媒体に対して主走査方向にインクによる印刷を実行するインクジェットヘッドと、印刷媒体のうちインクジェットヘッドによる印刷中の部分をインクジェットヘッドとは反対側から支持可能であって主走査方向に延在している印刷中部分支持領域を備えているプラテンと、主走査方向に延在していてプラテンの印刷中部分支持領域を加熱するヒーターとを備えているインクジェットプリンターが知られている（例えば、特許文献１参照。）。
【先行技術文献】
【特許文献】
【０００３】
【特許文献１】特開２０１０−１４９３１９号公報
【発明の概要】
【発明が解決しようとする課題】
【０００４】
印刷中部分支持領域がヒーターによって加熱されている場合、インクジェットヘッドから吐出されたインクの滴は、印刷中部分支持領域によって加熱された印刷媒体に付着した直後に、印刷媒体の熱によって印刷媒体への付着部分が乾燥し始める。すなわち、インクジェットヘッドから吐出されて印刷媒体に付着したインクの広がり具合は、印刷中部分支持領域によって加熱された印刷媒体の温度によって決定される。そのため、プラテンの印刷中部分支持領域の温度は、インクジェットヘッドから吐出されて印刷媒体に付着したインクの広がり具合に大きく影響する。すなわち、プラテンの印刷中部分支持領域の温度は、印刷の品質に大きく影響する。特に、顔料が揮発性の溶剤に分散されているインクであって、溶剤が揮発することによって印刷媒体上で固まるソルベントインクがインクジェットヘッドから吐出される場合には、プラテンの印刷中部分支持領域の温度は、印刷の品質に顕著に影響する。
【０００５】
ここで、従来のインクジェットプリンターにおいて、ヒーターによって加熱されている印刷中部分支持領域のうち主走査方向における端の部分は、ヒーターによって加熱されていない空間、または、ヒーターによって加熱されていない部材に、主走査方向において接している。そのため、ヒーターによって加熱されている印刷中部分支持領域では、主走査方向における端付近の温度が中央付近の温度よりも低くなる。すなわち、ヒーターによって加熱されている印刷中部分支持領域は、主走査方向において温度が不均一である。したがって、従来のインクジェットプリンターにおいては、プラテンによって支持されている印刷媒体に対する印刷の品質が主走査方向において不均一であるという問題がある。
【０００６】
そこで、本発明は、印刷の品質を従来より向上することができるインクジェットプリンターを提供することを目的とする。
【課題を解決するための手段】
【０００７】
本発明のインクジェットプリンターは、特定の方向に移動することによって印刷媒体に対して前記特定の方向にインクによる印刷を実行するインクジェットヘッドと、印刷媒体のうち前記インクジェットヘッドによる印刷中の部分を前記インクジェットヘッドとは反対側から支持可能であって前記特定の方向に延在している印刷中部分支持領域を備えているプラテンと、印刷媒体のうち少なくとも前記印刷中部分支持領域によって支持されている部分を加熱する加熱手段と、風が吹き出されるための吹き出し口が形成されていて、印刷媒体のうち前記印刷中部分支持領域によって支持されている部分の表面に向けて前記吹き出し口から風を吹き付ける送風手段とを備えており、前記吹き出し口は、前記特定の方向に延在していることを特徴とする。
【０００８】
この構成により、本発明のインクジェットプリンターは、印刷媒体のうち特定の方向に延在している印刷中部分支持領域によって支持されていて加熱手段によって加熱されている部分の表面に向けて、特定の方向に延在している吹き出し口から風を吹き付けることによって、印刷媒体の印刷中部分支持領域によって支持されている部分のうち特定の方向における高温の部分を効率良く冷却することができるので、印刷媒体のうち印刷中部分支持領域によって支持されている部分の特定の方向における温度を従来より均一化することができる。したがって、本発明のインクジェットプリンターは、プラテンによって支持されている印刷媒体に対する印刷の品質を特定の方向において従来より均一化することができる。すなわち、本発明のインクジェットプリンターは、印刷の品質を従来より向上することができる。
【０００９】
また、本発明のインクジェットプリンターにおいて、前記吹き出し口は、前記特定の方向に複数の区画に分割されていても良い。
【００１０】
この構成により、本発明のインクジェットプリンターは、吹き出し口から吹き出される風が吹き出し口の複数の区画のそれぞれに応じて特定の方向に分割されているので、吹き出し口が特定の方向に分割されていない構成と比較して、吹き出し口から吹き出された風に乱流が生じることを抑えることができる。すなわち、本発明のインクジェットプリンターは、吹き出し口が特定の方向に分割されていない構成と比較して、特定の方向に延在している吹き出し口から、印刷媒体のうち特定の方向に延在している印刷中部分支持領域によって支持されていて加熱手段によって加熱されている部分の表面に向けて、風を精度良く吹き付けることができる。そのため、本発明のインクジェットプリンターは、印刷媒体の印刷中部分支持領域によって支持されている部分のうち特定の方向における高温の部分を効率良く冷却することができる。したがって、本発明のインクジェットプリンターは、印刷の品質を向上することができる。
【００１１】
また、本発明のインクジェットプリンターは、前記特定の方向とは交差する方向に印刷媒体を搬送する搬送手段を備えており、前記送風手段は、印刷媒体のうち前記印刷中部分支持領域によって支持されている部分の表面に向けて吹き付けた風のうち、前記搬送手段による印刷媒体の搬送方向において前記印刷中部分支持領域より上流側に流れる量が、前記搬送方向において前記印刷中部分支持領域より下流側に流れる量よりも少なくなるように構成されていても良い。
【００１２】
この構成により、本発明のインクジェットプリンターは、インクジェットヘッドからインクの滴が吐出された場合にインクの滴より小さいインクのミストが発生したときであっても、吹き出し口から吹き出される風によって印刷媒体の搬送方向において印刷中部分支持領域より下流側にインクのミストが流されるので、印刷媒体の搬送方向において印刷中部分支持領域より上流側の印刷媒体、すなわち、インクジェットヘッドによる印刷前の印刷媒体にインクが付着することを抑えることができる。したがって、本発明のインクジェットプリンターは、印刷の品質を向上することができる。
【００１３】
また、本発明のインクジェットプリンターにおいて、前記送風手段は、複数の前記区画から吹き出される風を生成する送風機を備えており、前記送風手段は、前記送風機によって生成された風が通過するための複数の流路が形成されており、複数の前記流路は、それぞれ別々の前記区画に連通していても良い。
【００１４】
この構成により、本発明のインクジェットプリンターは、複数の流路がそれぞれ吹き出し口の別々の区画に連通しているので、吹き出し口の複数の区画から吹き出される風が送風機によって生成された場合に、風が送風機によって生成されてから吹き出し口の区画から吹き出されるまでの間に、風に乱流が生じることを流路によって抑えることができる。すなわち、本発明のインクジェットプリンターは、特定の方向に延在している吹き出し口から、印刷媒体のうち特定の方向に延在している印刷中部分支持領域によって支持されていて加熱手段によって加熱されている部分の表面に向けて、風を精度良く吹き付けることができる。そのため、本発明のインクジェットプリンターは、印刷媒体の印刷中部分支持領域によって支持されている部分のうち特定の方向における高温の部分を効率良く冷却することができる。したがって、本発明のインクジェットプリンターは、印刷の品質を向上することができる。
【００１５】
また、本発明のインクジェットプリンターにおいて、前記送風手段は、１個以上の前記区画がそれぞれ形成されている複数のユニットを備えていても良い。
【００１６】
この構成により、本発明のインクジェットプリンターは、特定の方向における吹き出し口の幅が異なる他のインクジェットプリンターとの間で、ユニットの仕様を共通化することができるので、ユニットの大量生産によってユニットの製造コストを低減することができる。
【発明の効果】
【００１７】
本発明のインクジェットプリンターは、印刷の品質を従来より向上することができる。
【図面の簡単な説明】
【００１８】
【図１】正面右上側から観察された場合の本発明の一実施の形態に係るインクジェットプリンターの外観斜視図である。
【図２】フロントカバーが取り外された状態での図１に示すインクジェットプリンターの正面図である。
【図３】図１に示す本体の一部の側面断面図である。
【図４】フロントカバーが取り外された状態で正面右下側から観察された場合の図１に示すインクジェットプリンターの一部の斜視図である。
【図５】背面上側から観察された場合の図１に示すインクジェットプリンターの一部の斜視図である。
【図６】フロントカバーが取り外された状態で正面右下側から観察された場合の図１に示す送風装置の一部の斜視図である。
【図７】図１に示す本体の一部の上面断面図である。
【図８】図１に示す本体の一部の背面断面図である。
【図９】図１に示す本体の一部の背面図である。
【図１０】図１に示すインクジェットプリンターのブロック図である。
【発明を実施するための形態】
【００１９】
以下、本発明の実施の形態について、図面を用いて説明する。
【００２０】
まず、本実施の形態に係るインクジェットプリンターの構成について説明する。
【００２１】
図１は、正面右上側から観察された場合の本実施の形態に係るインクジェットプリンター１０の外観斜視図である。
【００２２】
図１に示すように、インクジェットプリンター１０は、床に設置される脚１１と、脚１１に支持されている本体２０とを備えている。
【００２３】
本体２０は、本体２０の内部を覆うケース２１と、種々の操作が入力されるボタンなどの入力デバイスである操作部２２と、種々の情報を表示するＬＣＤ（Ｌｉｑｕｉｄ  Ｃｒｙｓｔａｌ  Ｄｉｓｐｌａｙ）などの表示デバイスである表示部２３と、インクを貯留する複数のインクタンク２４とを備えている。
【００２４】
ケース２１は、取り外し可能であるフロントカバー２１ａを備えている。
【００２５】
図２は、フロントカバー２１ａが取り外された状態でのインクジェットプリンター１０の正面図である。
【００２６】
図２に示すように、本体２０は、矢印１０ａで示す主走査方向に延在しているガイドレール３１と、主走査方向に移動可能にガイドレール３１に支持されているキャリッジ３２と、キャリッジ３２に搭載されていて印刷媒体９０に向けてインクを吐出する複数のインクジェットヘッド３３とを備えている。
【００２７】
インクジェットヘッド３３は、ガイドレール３１に沿って矢印１０ａで示す主走査方向に移動可能なキャリッジ３２に搭載されることによって、特定の方向、すなわち、主走査方向に移動可能である。インクジェットヘッド３３は、主走査方向に移動することによって、印刷媒体９０に対して主走査方向にインクによる印刷を実行することが可能である。
【００２８】
図３は、本体２０の一部の側面断面図である。
【００２９】
図２および図３に示すように、本体２０は、矢印１０ａで示す主走査方向と直交する矢印１０ｂで示す副走査方向のうち矢印１０ｃで示す方向に印刷媒体９０を搬送する搬送手段としての搬送ローラー４１と、搬送ローラー４１とともに印刷媒体９０を挟むためのピンチローラー４２と、印刷媒体９０を支持するプラテン４３と、搬送ローラー４１による印刷媒体９０の搬送方向、すなわち、矢印１０ｃで示す搬送方向におけるプラテン４３の上流側に配置されていて印刷媒体９０を支持するプレプラテン４４と、矢印１０ｃで示す搬送方向におけるプラテン４３の下流側に配置されていて印刷媒体９０を支持するアフタープラテン４５と、プラテン４３を加熱する加熱手段としてのプリントヒーター４６と、プレプラテン４４を加熱するプレヒーター４７と、アフタープラテン４５を加熱するアフターヒーター４８とを備えている。
【００３０】
搬送ローラー４１およびピンチローラー４２は、矢印１０ａで示す主走査方向に延在していて、回転可能に支持されている。
【００３１】
プラテン４３、プレプラテン４４およびアフタープラテン４５は、矢印１０ａで示す主走査方向に延在している。
【００３２】
プラテン４３は、印刷媒体９０のうちインクジェットヘッド３３による印刷中の部分をインクジェットヘッド３３とは反対側から支持可能である印刷中部分支持領域４３ａを備えている。印刷中部分支持領域４３ａは、矢印１０ａで示す主走査方向に延在している。
【００３３】
プリントヒーター４６、プレヒーター４７およびアフターヒーター４８は、矢印１０ａで示す主走査方向に延在しているヒーター線によって構成されている。特に、プリントヒーター４６は、プラテン４３の印刷中部分支持領域４３ａを加熱することが可能である。
【００３４】
図４は、フロントカバー２１ａが取り外された状態で正面右下側から観察された場合のインクジェットプリンター１０の一部の斜視図である。図５は、背面上側から観察された場合のインクジェットプリンター１０の一部の斜視図である。
【００３５】
図１〜図５に示すように、本体２０は、プラテン４３の印刷中部分支持領域４３ａの表面に向けて風５０ａを吹き付ける送風手段としての送風装置５０を備えている。
【００３６】
送風装置５０は、風５０ａが吹き出されるための吹き出し口５０ｂが形成されている。すなわち、送風装置５０は、プラテン４３の印刷中部分支持領域４３ａの表面に向けて吹き出し口５０ｂから風５０ａを吹き付けるようになっている。
【００３７】
図６は、フロントカバー２１ａが取り外された状態で正面右下側から観察された場合の送風装置５０の一部の斜視図である。
【００３８】
図４および図６に示すように、吹き出し口５０ｂは、矢印１０ａで示す主走査方向に延在している。また、吹き出し口５０ｂは、主走査方向に３０個の区画５０ｃに分割されている。
【００３９】
図１、図２および図４に示すように、送風装置５０は、吹き出し口５０ｂの６個の区画５０ｃがそれぞれ形成されている５個のユニット５１を備えている。
【００４０】
図７は、本体２０の一部の上面断面図である。図８は、本体２０の一部の背面断面図である。
【００４１】
図３、図７および図８に示すように、５個のユニット５１のそれぞれは、風５０ａが通過するための６本の流路５２ａが形成されている流路形成部材５２と、流路形成部材５２の６本の流路５２ａに風５０ａを送る送風機としてのファン５３と、ファン５３を覆うファンカバー５４とを備えている。
【００４２】
流路形成部材５２は、吹き出し口５０ｂの６個の区画５０ｃが形成されている。流路形成部材５２の６本の流路５２ａは、それぞれ別々の区画５０ｃに連通している。
【００４３】
図９は、本体２０の一部の背面図である。
【００４４】
図７〜図９に示すように、ファン５３は、流路形成部材５２の６本の流路５２ａに風５０ａを送るようになっている。
【００４５】
図３および図５に示すように、ファンカバー５４は、埃などの浮遊物をファン５３によって本体２０の内部に吸い込むことを抑えるための庇５４ａを備えている。
【００４６】
図３に示すように、ユニット５１の吹き出し口５０ｂの区画５０ｃと、流路５２ａとの形状は、プラテン４３の印刷中部分支持領域４３ａの表面に向けて吹き付けた風５０ａのうち、矢印１０ｃで示す搬送方向において印刷中部分支持領域４３ａより上流側に流れる量が、搬送方向において印刷中部分支持領域４３ａより下流側に流れる量よりも少なくなるように構成されている。
【００４７】
図１０は、インクジェットプリンター１０のブロック図である。
【００４８】
図１０に示すように、インクジェットプリンター１０は、上述した操作部２２および表示部２３と、ＰＣ（Ｐｅｒｓｏｎａｌ  Ｃｏｍｐｕｔｅｒ）などの外部の装置と通信を行う通信デバイスである通信部６１と、上述したインクジェットヘッド３３と、キャリッジ３２（図２参照。）をガイドレール３１（図２参照。）に沿って矢印１０ａ（図２参照。）で示す主走査方向に移動させるためのキャリッジ駆動装置６２と、搬送ローラー４１（図３参照。）を回転させるための搬送ローラー駆動装置６３と、上述したプリントヒーター４６、プレヒーター４７、アフターヒーター４８およびファン５３と、各種のデータを記憶するＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）などの記憶デバイスである記憶部６４と、インクジェットプリンター１０全体を制御する制御部６５とを備えている。
【００４９】
制御部６５は、例えば、ＣＰＵ（Ｃｅｎｔｒａｌ  Ｐｒｏｃｅｓｓｉｎｇ  Ｕｎｉｔ）と、プログラムおよび各種のデータを予め記憶しているＲＯＭ（Ｒｅａｄ  Ｏｎｌｙ  Ｍｅｍｏｒｙ）と、ＣＰＵの作業領域として用いられるＲＡＭ（Ｒａｎｄｏｍ  Ａｃｃｅｓｓ  Ｍｅｍｏｒｙ）とを備えている。ＣＰＵは、ＲＯＭまたは記憶部６４に記憶されているプログラムを実行するようになっている。
【００５０】
次に、インクジェットプリンター１０の動作について説明する。
【００５１】
インクジェットプリンター１０の制御部６５は、外部から送信されてきた印刷データを通信部６１を介して受信すると、この印刷データに基づいてインクジェットヘッド３３、キャリッジ駆動装置６２および搬送ローラー駆動装置６３を制御することによって、インクジェットヘッド３３による印刷を実行する。
【００５２】
具体的には、制御部６５は、キャリッジ駆動装置６２を制御してキャリッジ３２をガイドレール３１に沿って矢印１０ａで示す主走査方向に移動させることによって、キャリッジ３２に搭載されているインクジェットヘッド３３を印刷媒体９０に対して主走査方向に相対的に移動させる。このとき、制御部６５は、印刷媒体９０に向けてインクジェットヘッド３３によってインクの滴を吐出させることによって、主走査方向における印刷を実行する。そして、制御部６５は、主走査方向における印刷が終了する度に、搬送ローラー駆動装置６３を制御して搬送ローラー４１を回転させることによって、搬送ローラー４１と、ピンチローラー４２とによって挟まれている印刷媒体９０を矢印１０ｃで示す方向に移動させる。すなわち、制御部６５は、印刷媒体９０をインクジェットヘッド３３に対して矢印１０ｃで示す方向に移動させることによって、インクジェットヘッド３３による印刷媒体９０への矢印１０ｃで示す方向における印刷位置を変更する。そして、制御部６５は、矢印１０ｃで示す方向における新たな印刷位置において再び主走査方向における印刷を実行する。
【００５３】
制御部６５は、インクジェットヘッド３３による印刷を実行する場合に、プリントヒーター４６、プレヒーター４７およびアフターヒーター４８を駆動することによって、プリントヒーター４６、プレヒーター４７およびアフターヒーター４８にそれぞれプラテン４３、プレプラテン４４およびアフタープラテン４５を加熱させる。
【００５４】
そして、制御部６５は、プリントヒーター４６にプラテン４３を加熱させる場合に、ファン５３を駆動することによって、送風装置５０の吹き出し口５０ｂからプラテン４３の印刷中部分支持領域４３ａの表面に向けて風５０ａを吹き付けさせる。すなわち、制御部６５は、印刷媒体９０のうち印刷中部分支持領域４３ａによって支持されていてプリントヒーター４６によって加熱されている部分の表面に向けて、吹き出し口５０ｂから風５０ａを吹き付けさせる。
【００５５】
以上に説明したように、インクジェットプリンター１０は、印刷媒体９０のうち矢印１０ａで示す主走査方向に延在している印刷中部分支持領域４３ａによって支持されていてプリントヒーター４６によって加熱されている部分の表面に向けて、主走査方向に延在している吹き出し口５０ｂから風５０ａを吹き付けることによって、印刷媒体９０の印刷中部分支持領域４３ａによって支持されている部分のうち主走査方向における高温の部分を効率良く冷却することができるので、印刷媒体９０のうち印刷中部分支持領域４３ａによって支持されている部分の主走査方向における温度を従来より均一化することができる。したがって、インクジェットプリンター１０は、プラテン４３によって支持されている印刷媒体９０に対する印刷の品質を主走査方向において従来より均一化することができる。すなわち、インクジェットプリンター１０は、印刷の品質を従来より向上することができる。
【００５６】
インクジェットプリンター１０は、吹き出し口５０ｂから吹き出される風５０ａが吹き出し口５０ｂの複数の区画５０ｃのそれぞれに応じて矢印１０ａで示す主走査方向に分割されているので、吹き出し口５０ｂが主走査方向に分割されていない構成と比較して、吹き出し口５０ｂから吹き出された風５０ａに乱流が生じることを抑えることができる。すなわち、インクジェットプリンター１０は、吹き出し口５０ｂが主走査方向に分割されていない構成と比較して、主走査方向に延在している吹き出し口５０ｂから、印刷媒体９０のうち主走査方向に延在している印刷中部分支持領域４３ａによって支持されていてプリントヒーター４６によって加熱されている部分の表面に向けて、風５０ａを精度良く吹き付けることができる。そのため、インクジェットプリンター１０は、印刷媒体９０の印刷中部分支持領域４３ａによって支持されている部分のうち主走査方向における高温の部分を効率良く冷却することができる。したがって、インクジェットプリンター１０は、印刷の品質を向上することができる。
【００５７】
なお、インクジェットプリンター１０は、吹き出し口５０ｂが矢印１０ａで示す主走査方向に分割されていなくても良い。
【００５８】
送風装置５０は、印刷媒体９０のうち印刷中部分支持領域４３ａによって支持されている部分の表面に向けて吹き付けた風５０ａのうち、搬送ローラー４１による印刷媒体９０の矢印１０ｃで示す搬送方向において印刷中部分支持領域４３ａより上流側に流れる量が、搬送方向において印刷中部分支持領域４３ａより下流側に流れる量よりも少なくなるように構成されている。そのため、インクジェットプリンター１０は、インクジェットヘッド３３からインクの滴が吐出された場合に、インクの滴より小さいインクのミストが発生したときであっても、吹き出し口５０ｂから吹き出される風５０ａによって搬送方向において印刷中部分支持領域４３ａより下流側にインクのミストが流される。したがって、インクジェットプリンター１０は、搬送方向において印刷中部分支持領域４３ａより上流側の印刷媒体９０、すなわち、インクジェットヘッド３３による印刷前の印刷媒体９０にインクが付着することを抑えることができる。
【００５９】
ここで、印刷前の印刷媒体９０にインクが付着するパターンとしては、例えば、吹き出し口５０ｂから吹き出される風５０ａによって矢印１０ｃで示す搬送方向において印刷中部分支持領域４３ａより上流側に流されたミストが、直接、印刷前の印刷媒体９０に付着するパターンが存在する。また、吹き出し口５０ｂから吹き出される風５０ａによって搬送方向において印刷中部分支持領域４３ａより上流側に流されたミストが、ピンチローラー４２など、印刷前の印刷媒体９０に接触する部分に付着した後、この部分が印刷前の印刷媒体９０に接触することによって印刷前の印刷媒体９０にインクが付着するパターンも存在する。
【００６０】
そして、印刷前の印刷媒体９０にインクが付着すると、その付着したインクの上層にインクジェットヘッド３３によって印刷が実行されるので、印刷前の印刷媒体９０にインクが付着していない場合と比較して、印刷の品質が落ちるという問題がある。また、ピンチローラー４２など、印刷前の印刷媒体９０に接触する部分にインクが付着した場合には、この部分が印刷前の印刷媒体９０に接触することによって印刷前の印刷媒体９０にインクによる筋状の汚れが付着するので、印刷の品質が落ちるという問題もある。
【００６１】
しかしながら、インクジェットプリンター１０は、上述したように、インクジェットヘッド３３による印刷前の印刷媒体９０にインクが付着することを抑えることができるので、印刷の品質を向上することができる。
【００６２】
インクジェットプリンター１０は、複数の流路５２ａがそれぞれ吹き出し口５０ｂの別々の区画５０ｃに連通しているので、吹き出し口５０ｂの複数の区画５０ｃから吹き出される風５０ａがファン５３によって生成された場合に、風５０ａがファン５３によって生成されてから吹き出し口５０ｂの区画５０ｃから吹き出されるまでの間に、風５０ａに乱流が生じることを流路５２ａによって抑えることができる。すなわち、インクジェットプリンター１０は、矢印１０ａで示す主走査方向に延在している吹き出し口５０ｂから、印刷媒体９０のうち主走査方向に延在している印刷中部分支持領域４３ａによって支持されていてプリントヒーター４６によって加熱されている部分の表面に向けて、風５０ａを精度良く吹き付けることができる。そのため、インクジェットプリンター１０は、印刷媒体９０の印刷中部分支持領域４３ａによって支持されている部分のうち主走査方向における高温の部分を効率良く冷却することができる。したがって、インクジェットプリンター１０は、印刷の品質を向上することができる。
【００６３】
インクジェットプリンター１０は、矢印１０ａで示す主走査方向における吹き出し口５０ｂの幅が異なる他のインクジェットプリンター１０との間で、ユニット５１の仕様を共通化することができるので、ユニット５１の大量生産によってユニット５１の製造コストを低減することができる。
【００６４】
なお、インクジェットプリンター１０は、本実施の形態において１個のユニット５１に６個の区画５０ｃが形成されているが、１個のユニット５１に１個以上の区画５０ｃが形成されていれば良い。また、インクジェットプリンター１０は、本実施の形態において５個のユニット５１を備えているが、１個以上のユニット５１を備えていれば良い。
【００６５】
インクジェットプリンター１０は、本実施の形態において矢印１０ａで示す主走査方向における印刷中部分支持領域４３ａの全体の表面に向けて送風装置５０によって風５０ａを吹き付けているが、主走査方向における印刷中部分支持領域４３ａの端付近の表面に向けては送風装置５０によって風５０ａを吹き付けない構成であっても良い。
【００６６】
インクジェットプリンター１０は、送風装置５０が鉛直方向の上側からではなく、水平方向から気体を吸い込むようになっており、更にファンカバー５４が庇５４ａを備えているので、埃などの浮遊物を本体２０の外部からファン５３によって吸い込むことを抑えることができる。したがって、インクジェットプリンター１０は、印刷の品質を向上することができる。
【００６７】
なお、インクジェットプリンター１０は、本実施の形態において、印刷媒体９０のうち少なくとも印刷中部分支持領域４３ａによって支持されている部分を加熱する加熱手段として、プラテン４３の印刷中部分支持領域４３ａを加熱するプリントヒーター４６を備えている。しかしながら、インクジェットプリンター１０は、印刷媒体９０のうち少なくとも印刷中部分支持領域４３ａによって支持されている部分を加熱する構成であれば、プリントヒーター４６以外の構成を備えていても良い。
【００６８】
インクジェットプリンター１０は、本実施の形態において、印刷媒体９０を矢印１０ｃで示す方向に搬送することによってインクジェットヘッド３３と、印刷媒体９０とを矢印１０ｂで示す方向に相対移動させる構成であるが、この構成以外の構成であっても良い。例えば、インクジェットプリンター１０は、インクジェットヘッド３３を矢印１０ｃで示す方向に移動させることによってインクジェットヘッド３３と、印刷媒体９０とを矢印１０ｂで示す方向に相対移動させる構成であっても良い。
【符号の説明】
【００６９】
１０  インクジェットプリンター
１０ａ  矢印（主走査方向（特定の方向）を示す矢印）
１０ｂ  矢印（副走査方向（特定の方向とは交差する方向）を示す矢印）
１０ｃ  矢印（搬送方向を示す矢印）
３３  インクジェットヘッド
４１  搬送ローラー（搬送手段）
４３  プラテン
４３ａ  印刷中部分支持領域
４６  プリントヒーター（加熱手段）
５０  送風装置（送風手段）
５０ａ  風
５０ｂ  吹き出し口
５０ｃ  区画
５１  ユニット
５２ａ  流路
５３  ファン（送風機）
９０  印刷媒体
【図１】
2015217544.tif 000003
【図２】
2015217544.tif 000004
【図３】
2015217544.tif 000005
【図４】
2015217544.tif 000006
【図５】
2015217544.tif 000007
【図６】
2015217544.tif 000008
【図７】
2015217544.tif 000009
【図８】
2015217544.tif 000010
【図９】
2015217544.tif 000011
【図１０】
2015217544.tif 000012